(57)【要約】  【課題】  被検者の体厚のみならず体脂肪率から求める体質も考慮して最適なＸ線撮影条件を自動的に設定し、前記Ｘ線撮影条件設定の操作性向上と該設定した撮影条件で高画質のＸ線撮影画像が得られるＸ線撮影装置を提供する。  【解決手段】  被検者のＸ線撮影条件を設定するＸ線撮影条件設定部８ａに、基準となるＸ線撮影条件を記憶するデータベース８ａ１と、前記基準Ｘ線撮影条件を被検者の体厚に応じて補正する体厚補正部８ａ３と、この体厚補正部８ａ２で補正したＸ線撮影条件を前記被検者の体脂肪率に応じて補正する体脂肪率補正部８ａ３とを設ける。前記被検者の情報を入力する被検者情報入力部８ｃから前記被検者の体厚及び体脂肪率を入力し、該体厚及び体脂肪率に応じて前記体厚補正部８ａ３及び体脂肪率補正部８ａ３で前記基準Ｘ線撮影条件を補正してＸ線撮影条件を設定し、この設定したＸ線撮影条件で撮影する。【選択図】      図２
2006218142.tif 000002
【特許請求の範囲】
【請求項１】
被検者にＸ線を照射するＸ線照射手段と、前記被検者を透過したＸ線を検出するＸ線検出手段と、前記被検者のＸ線撮影条件を設定するＸ線撮影条件設定手段と、前記Ｘ線撮影条件に対応したＸ線量を前記Ｘ線照射手段から放射し、該Ｘ線量を制御するＸ線高電圧発生手段と、前記Ｘ線撮影条件に対応して撮影を制御する撮影制御手段とを備えたＸ線撮影装置であって、前記被検者の情報を入力する被検者情報入力手段と、前記Ｘ線撮影条件設定手段に少なくとも基準となるＸ線撮影条件を記憶するデータベースと、該データベースに記憶された前記基準Ｘ線撮影条件を前記被検者情報入力手段から入力した前記被検者の体厚で補正する体厚補正手段とを備えたことを特徴とするＸ線撮影装置。
【請求項２】
請求項１において、前記被検者の体厚を測定する体厚測定手段をさらに設け、該体厚測定手段で測定した体厚値を前記被検者情報入力手段より入力して前記体厚補正手段で前記基準Ｘ線撮影条件を補正することを特徴とするＸ線撮影装置。
【請求項３】
請求項１又は２において、前記被検者情報入力手段から前記被検者の体脂肪率を入力し、前記体厚補正手段で補正したＸ線撮影条件を前記被検者の体脂肪率でさらに補正する体脂肪率補正手段を備えたことを特徴とするＸ線撮影装置。
【請求項４】
請求項３において、前記被検者の体脂肪率を測定する体脂肪率測定手段をさらに設け、該体脂肪率測定手段で測定した体脂肪率値を前記被検者情報入力手段より入力して前記体厚補正手段で補正したＸ線撮影条件を前記体脂肪率補正手段で補正することを特徴とするＸ線撮影装置。
【請求項５】
請求項１又は２において、前記体厚補正手段で補正するＸ線量は、前記被検者の体厚値に対応して前記Ｘ線照射手段のＸ線管の陽極と陰極間の管電圧、該陽極と陰極間に流れる管電流、及び撮影時間のうちの少なくとも一つにより補正することを特徴とするＸ線撮影装置。
【請求項６】
請求項３又は４において、前記体脂肪率補正手段で補正するＸ線量は、前記被検者の体脂肪率値に対応して前記Ｘ線照射手段のＸ線管の陽極と陰極間の管電圧、該陽極と陰極間に流れる管電流、及び撮影時間のうちの少なくとも一つにより補正することを特徴とするＸ線撮影装置。
【請求項７】
請求項１において、前記データベースに記憶した基準Ｘ線撮影条件は、撮影部位、撮影方向に対応する複数の基準Ｘ線撮影条件からなり、これらの基準Ｘ線撮影条件の中から前記被検者情報入力手段からの入力情報に対応した基準Ｘ線撮影条件を選択する手段を備えたことを特徴とするＸ線撮影装置。
【請求項８】
請求項７において、前記データベースに記憶した基準Ｘ線撮影条件は、年齢、性別、身長と体重から決まる肥満度、体厚に対応する複数の基準Ｘ線撮影条件をさらに備えたことを特徴とするＸ線撮影装置。
【請求項９】
請求項１又は２において、前記被検者情報入力手段から前記被検者の撮影部位のＸ線吸収率を入力し、前記体厚補正手段で補正したＸ線撮影条件を前記被検者のＸ線吸収率でさらに補正するＸ線吸収率補正手段を備えたことを特徴とするＸ線撮影装置。
【発明の詳細な説明】
【技術分野】
【０００１】
本発明は、X線撮影装置に関し、特に被検者の撮影部位の体厚のみならず体脂肪率も考慮して最適なX線撮影条件を設定できる機構を備えたX線撮影装置に関する。
【背景技術】
【０００２】
X線画像の撮影条件である管電圧(X線管の陽極と陰極間に印加する電圧)、管電流(X線管の陽極と陰極間に流れる電流)、撮影時間は、被検者のX線撮影部位について常に最適な画像が得られるように設定しなければならない。
前記X線撮影条件は、被検者の部位とそのX線吸収の程度がわかれば一応決定できるが、撮影の都度その部位のX線吸収を測定するということは困難なことであるので、被検者のX線吸収と体厚が一定の関係にあるものとして該体厚から設定する場合が多い。
しかし、この関係は撮影部位及びこの部位の撮影方向によって変わり、さらに同一部位でもX線吸収は個人差があるため、オペレータは被検者の体型も考慮に入れて設定している。
このように、X線量を調整して被検者を最適な撮影条件で撮影できるかどうかは、被検者の体厚及び体型のみならず、オペレータの熟練度によるところも大きい。
【０００３】
このようなことから、オペレータの操作性の向上を図るために、上記X線撮影条件を設定するにあたり、予め撮影部位、撮影方向、体厚、年齢(成人と小児の区別)等の組み合わせのパターンを複数種類設定しておき、必要な時に前記パターンから撮影条件を選択して設定するプログラム撮影機能を備えている。
このプログラム撮影機能のX線撮影条件は、特許文献1、特許文献2等に開示されている技術やオペレータのノウハウに基づいて設定されている。
【０００４】
上記特許文献1に開示されているX線撮影条件は、被検者の身長、体重、体厚の身体計測情報に基づいて、撮影の都度、オペレータが設定するもので、X線撮影装置に身体計測情報、すなわち前記身長、体重、体厚を計測する身体情報計測手段を設けて、この検出手段から取得した身体計測情報から撮影条件を決定するか、又は前記身長、体重、体厚などの身体計測情報が予め分っている場合は、これをX線撮影装置に入力してX線撮影条件を決定する構成のX線撮影装置である。
さらに、前記X線撮影条件は、被検者の体重及び/又は身長から求められた予測体厚に基づいて決定することもできる。
【０００５】
また、上記特許文献2に開示されているX線撮影条件は、X線撮影装置の撮影台に患者の身長と体重を検出できる手段を備えて、前記身長測定結果と前記体重測定結果に基づき、前記患者の体型を推定し、痩せ型、標準型、肥満型に分類して、撮影の都度、オペレータが設定するものである。
【特許文献１】特開平5-15521号公報
【特許文献２】特開2002-10996号公報
【発明の開示】
【発明が解決しようとする課題】
【０００６】
上記特許文献1に開示されている被検者の身長、体重、体厚の身体計測情報に基づいてX線撮影条件を決める方法では、同じ体厚の被検者でも、中には筋肉質の被検者もいるので、脂肪と筋肉ではX線透過率が異なることを考えると、体厚を主とした前記身体情報だけで常に最適な撮影条件が設定できる保証は無い。
【０００７】
また、上記特許文献2に開示されている被検者の身長と体重とから痩せ型、標準型、肥満型の体型を推定してX線撮影条件を決める方法は、X線吸収に最も影響のある体厚は、あくまでも予測値であり、しかも、上記特許文献1と同様、体厚が同じ場合の脂肪と筋肉とのX線透過率の差異も考慮していないので、上記特許文献1よりもさらに最適な撮影条件を設定することは困難である。
【０００８】
このように、上記特許文献1及び2に開示されているX線撮影条件は、撮影の都度、オペレータが設定しなければならないので、該オペレータの負担が大きく、その操作性にも問題がある。
さらに、前記脂肪と筋肉とのX線透過率の差異も考慮して設定されていない。
特に、最近では、多目的X線透視撮影システムや循環器X線検査システムに代表されるように、診断の多様化、高度化が進み、それにつれて様々な機能が要求されるようになってきており、体脂肪も考慮してX線撮影条件を設定する必要がある。
【０００９】
本発明の目的は、被検者の体厚のみならず体脂肪率から求められる体質も考慮して最適なX線撮影条件を自動的に設定し、前記X線撮影条件設定の操作性向上と該設定した撮影条件で高画質のX線撮影画像が得られるX線撮影装置を提供することにある。
【課題を解決するための手段】
【００１０】
上記課題を解決するための本発明のX線撮影装置は、以下によって達成される。すなわち、
被検者にX線を照射するX線照射手段と、前記被検者を透過したX線を検出するX線検出手段と、前記被検者のX線撮影条件を設定するX線撮影条件設定手段と、前記X線撮影条件に対応したX線量を前記X線照射手段から放射し、該X線量を制御するX線高電圧発生手段と、前記X線撮影条件に対応して撮影を制御する撮影制御手段とを備えたX線撮影装置であって、前記被検者の情報を入力する被検者情報入力手段と、前記X線撮影条件設定手段に備えた少なくとも基準となるX線撮影条件を記憶するデータベースと、該データベースに記憶されている前記基準X線撮影条件を前記被検者情報入力手段から入力した前記被検者の体厚で補正する体厚補正手段とを備えたものである。
【００１１】
前記体厚補正手段は、前記被検者の体厚を測定する体厚測定手段をさらに設け、該体厚測定手段で測定した体厚値を前記被検者情報入力手段より入力して前記基準X線撮影条件を補正する。
【００１２】
前記の体厚補正に加えて、前記被検者情報入力手段から前記被検者の体脂肪率を入力し、前記体厚補正手段で補正したX線撮影条件を前記被検者の体脂肪率でさらに補正する体脂肪率補正手段を備え、さらに前記被検者の体脂肪率を測定する体脂肪率測定手段を設け、該体脂肪率測定手段で測定した体脂肪率値を前記被検者情報入力手段より入力して前記体厚補正手段で補正したX線撮影条件を補正する。
【００１３】
上記の体厚補正手段及び体脂肪率補正手段で補正するX線量は、前記被検者の体厚値及び体脂肪率値に対応して前記X線照射手段のX線管の陽極と陰極間の管電圧、該陽極と陰極間に流れる管電流、及び撮影時間のうちの少なくとも一つにより補正する。
【００１４】
このように、前記被検者情報入力手段から入力した被検者の体厚、体脂肪率又はX線撮影装置に体厚測定器と体脂肪率測定器を備えて測定した被検者の体厚、体脂肪率で予め用意された基準X線撮影条件を補正するようにした。
これによって、被検者の体型、体質が異なっても、オペレータが撮影の度にX線撮影条件を手動で設定する必要がなく、さらに、体厚が同一でも見かけだけではわからない筋肉質の被検者と脂肪の多い被検者に対応してX線撮影条件を最適化できるので、オペレータの負担が軽減すると共に画質向上にも寄与し、さらにX線の照射量も最適化されるので被曝低減にも効果がある。
【００１５】
また、本発明においては、前記データベースに記憶した基準X線撮影条件は、撮影部位、撮影方向、年齢、性別、身長と体重から決まる肥満度、体厚に対応する複数の基準X線撮影条件からなり、これらの基準X線撮影条件の中から前記被検者情報入力手段からの入力情報に対応した基準X線撮影条件を選択する手段を備えて、この選択した基準X線撮影条件を上記体厚補正手段、体脂肪率補正手段で補正するようにした。
【００１６】
このように構成することにより、よりきめの細かいX線撮影条件を設定することができ、さらに画質向上や被曝低減が可能となる。
【００１７】
なお、被検者の撮影部位におけるX線吸収率が予め分っている場合には、このX線吸収率で前記基準X線撮影条件を補正しても良い。
【発明の効果】
【００１８】
本発明によれば、被検者の体厚、体脂肪率で予め用意された基準X線撮影条件を補正するようにしたので、被検者の体型、体質が異なっても、オペレータが撮影の度にX線撮影条件を手動で設定する必要がなく、さらに、体厚が同一でも見かけだけではわからない筋肉質の被検者と脂肪の多い被検者に対応してX線撮影条件を最適化できるので、オペレータの負担が軽減すると共に画質向上にも寄与し、さらにX線の照射量も最適化されるので被曝低減にも効果がある。
【発明を実施するための最良の形態】
【００１９】
本発明に係るX線撮影装置の好ましい実施の形態について、以下の添付図面に従って詳細に説明する。
図1は、本発明をX線撮影装置に適用した全体構成を示す図である。
この図1に示すX線撮影装置は、被検者1を撮影位置に載置する撮影台2と、前記被検者1にX線を照射するX線照射装置3と、前記被検者1を挟んで前記X線照射装置3と対峙する位置に配置され前記撮影台2に取り付けられたX線検出装置4と、図1の撮影システム全体を制御する制御パラメータ及びX線撮影条件を設定するための操作器及び表示器5とテレビモニタ6を備えた制御操作卓7と、この制御操作卓7で設定した前記X線撮影条件及び制御パラメータに基づいて撮影を制御する前記制御操作卓7に備えられた撮影制御装置8と、この撮影制御装置8から出力される撮影条件に対応した高電圧を発生し、これを前記X線照射装置3のX線管 (図示省略)に印加すX線高電圧装置9と、前記X線検出装置4で検出したX線検出信号を読み出して画像データを収集し、この収集した画像データに各種の画像処理を施して所望の画像データを得る画像処理装置10と、この画像処理装置10で処理された画像データを表示画像に変換制御する表示制御装置11と、この表示制御装置11で表示制御されたX線画像を前記制御操作卓7のテレビモニタ6に表示する表示装置と、前記被検者1の体厚を測定し、この測定値12を前記撮影制御装置8に入力する体厚測定器13と、前記被検者1の体脂肪率を測定し、この測定値14を前記撮影制御装置8に入力する前記撮影台2の足置き部分と手摺部分に設けた二つの体脂肪率測定器15とで構成される。
【００２０】
前記撮影台2は、被検者1の撮影部位に位置決めするための移動調整機構を備え、後述のX線照射装置3の移動手段と共に前記被検者の姿勢を整位できるように構成されている。
【００２１】
前記X線照射装置3は、被検者1に照射するX線を曝射するX線管(図示省略)と、このX線管から曝射されたX線を被検者に無駄なX線を照射しないようにX線照射範囲を制限する可動X線絞り装置(図示省略)とからなる。
このX線照射装置は、前記撮影台2に支持、あるいは天井や床に支持される支持手段(図示省略)により支持される。
なお、この支持手段に前記被検者の撮影位置に移動調整するための操作器(図示省略)を備え、この操作器で前記制御操作卓7で設定された撮影部位に対応する位置に前記被検者を移動させて、この位置にX線照射装置3を保持できるように構成されている。
【００２２】
上記X線検出装置4には、被検者1を透過したX線信号を検出し、X線を光に変換し、さらに電気信号に変換するイメージ・インテンシファイアとCCD(charge coupled device;固体撮像素子)カメラとからなる構成例を用いたが、これは、2次元の平面検出器(Flat Panel Detector)でも、前記被検者を透過したX線をX線フィルムに写してX線写真を撮影する構成のものでも良い。
【００２３】
制御操作卓7は、キーボード5aやマウス(図示省略)等の入力装置、X線撮影条件及び撮影制御パラメータを表示するタッチパネル式の表示装置5bやX線画像を表示するテレビモニタ6、各種の撮影オーダや該撮影オーダに対応したX線撮影条件(管電圧、管電流、撮影時間)の設定、X線照射装置2及びX線検出装置4を撮影位置に設定する等の各種撮影制御パラメータの設定、及び撮影システム全体を制御する機能を備えている。
【００２４】
前記撮影制御装置8は、制御操作卓7で設定したX線撮影条件に対応するX線制御信号を生成して前記X線高電圧装置を制御する。
また、X線照射装置3及びX線検出装置4を所定の位置に保持し、前記X線可動絞り装置によるX線照射野の制限、撮影の開始と終了、X線検出信号の読み出し指令の出力等の制御を行う。
【００２５】
前記X線高電圧装置9は、X線照射装置3のX線管の陰極であるフィラメントに電流を流して該フィラメントを所定の温度に加熱しておき、前記X線管の陽極と陰極間に印加する直流の高電圧である管電圧を発生する装置で、この高電圧の印加により前記X線管からX線が曝射される。
X線量の制御は、前記X線管の陰極であるフィラメントに流れる電流を制御してX線管の陽極と陰極に流れる管電流、前記管電圧及び撮影時間の制御により行う。
【００２６】
前記体厚測定器13は、前記X線照射装置3の付近に備え付けられて、前記被検者が前記撮影台2に載置され該被検者の撮影部位が位置決めされた状態で該撮影部位の体厚を測定できるように配備される。
この体厚測定器13による被検者の撮影部位の体厚は、超音波距離測定器やレーザー距離測定器等で前記体厚測定器13から前記撮影部位までの距離L1［mm］を測定し、この測定信号12を前記撮影制御装置8に入力して、該測定値L1［mm］と予め分っている前記X線照射装置3から前記撮影台2までの距離L［mm］との差から体厚X［mm］を求める。
【００２７】
前記体脂肪率測定器15は、例えば被検者に微弱な電流を流して電気抵抗値から体脂肪率を算定する特開平11-113872号公報に開示されているインピーダンス法による測定器を用い、これを前記したように、撮影台2の足置き部分と手摺部分に二つの体脂肪率測定器を配置して被検者の体脂肪率を測定し、この測定値14を前記撮影制御装置8に入力する。
前記被検者の体脂肪率は、前記二つの体脂肪率測定器で測定した値の平均値でも良いし、前記撮影部位に近い方に配置された体脂肪率測定器の測定値を用いても良い。あるいは経済性の点から前記撮影台2の足置き部分と手摺部分のいずれか一方に配置してその測定値を用いても良い。
なお、図1(b)は、被検者1を撮影台2に仰向けに載置した場合の上面から見た図で、同図のように前記体脂肪率測定器12は撮影台2の足置き部分と手摺部分に設けられている。
【００２８】
図2に、前記撮影制御装置8の構成ブロック図を示す。
この撮影制御装置8は、前記制御操作卓7に備えられ、X線撮影条件を設定するX線撮影条件設定部8aと、各種撮影制御パラメータを設定しX線撮影装置の各構成部を制御する撮影制御パラメータ設定部8bと、前記体厚測定器13、体脂肪率測定15からの出力信号と被検者1の氏名16、年齢17、性別18、身長19、体重20等の被検者情報及びその他の情報21を入力する入力部8cとから成る。
【００２９】
前記撮影条件決定部8aは、撮影部位、撮影目的毎に予め基準となる体厚のX線撮影条件を記憶しておくデータベース8a1と、前記データベース8a1から出力される基準X線撮影条件を前記体厚測定器13で測定した実際の体厚で補正する体厚補正部8a2と、この体厚補正部8a2で補正されたX線撮影条件をさらに前記体脂肪率測定器15で測定した実際の体脂肪率で補正する体脂肪率補正部8a3とで構成される。
なお、前記データベース8a1に記憶されている基準X線撮影条件は、ここでは成人の基準X線撮影条件と小児の基準X線撮影条件が設けられているものとする。
【００３０】
前記入力部8cから入力する被検者の氏名、年齢、性別等の被検者情報は、撮影する被検者が成人か小児かを前記入力した年齢より判断し、これらに対応する基準X線撮影条件の選択と、撮影したX線画像に付帯情報を付記して被検者を識別するために必要である。
【００３１】
このような構成の撮影制御装置8で設定されたX線撮影条件と撮影制御パラメータは前記制御操作卓7の表示器5bに表示される。
【００３２】
前記X線撮影条件設定部8aで設定されたX線撮影条件は、前記X線高電圧装置9に入力されて、このX線撮影条件に基づく菅電圧を前記X線照射装置3のX線管(図示省略)に印加して所要のX線を曝射できるようにし、前記撮影制御パラメータ設定部8bで設定された撮影制御パラメータは、X線撮影装置の各構成部に入力されて撮影に備える。
【００３３】
次に、前記体厚測定器13で測定した実際の体厚で前記データベース8a1から出力された基準X線撮影条件を補正する体厚補正部8a2について説明する。
前記体厚補正部8a2には、図3に示す被検体の体厚と撮影管電圧、撮影管電流との関係がテーブル化されて記憶されている。
図3において、横軸の体厚X「mm」は、標準的な体型を有する成人被検者の体厚の基準値で、この体厚における基準撮影管電圧をVb「kV」、基準撮影管電流をIb「mA」とすると、前記体厚測定器13で測定した体厚が前記標準体厚X「mm」よりも大きい場合は、多くのX線量が必要であるので、管電圧と管電流のいずれか一方又は双方を前記基準撮影管電圧Vb「kV」、基準撮影管電流Ib「mA」よりも高い値に補正する。
これに対して、前記体厚測定器10で測定した体厚が前記標準体厚X「mm」よりも小さい場合は、X線量を少なくする必要があるので、管電圧と管電流のいずれか一方又は双方を前記基準撮影管電圧Vb「kV」、基準撮影管電流Ib「mA」よりも低い値に補正する。
なお、体厚の差によるX線量の補正は、管電圧、管電流を可変する例について説明したが、これに限定するものではなく、X線撮影条件の一つである撮影時間を可変して前記体厚に対応してX線量を補正しても良い。
したがって、上記体厚の差によるX線量の補正は、撮影管電圧、撮影管電流、撮影時間のうちのいずれか一つ、又は二つ、あるいは全部を可変して行っても良い。なお、小児の場合も同様に、基準X線撮影条件を測定した体厚で補正する。
【００３４】
このようにして、実際に測定された体厚でX線撮影条件は補正できるが、同じ体厚の被検者でも、筋肉質の被検者と脂肪の多い被検者ではX線透過率が異なる。
そこで、前記体脂肪率測定器15で測定した体脂肪率に応じて体脂肪率補正部8a3で以下のようにして補正する。
【００３５】
前記体脂肪率補正部8a3には、図4に示す同じ体厚を有する被検体の体脂肪率と撮影管電圧、撮影管電流との関係がテーブル化されて記憶されている。
図4において、横軸は被検者の体脂肪率「%」、縦軸は前記体脂肪率に対応する撮影管電圧[kV]、撮影管電流[mA]である。
ここで、前記基準体厚の被検者の体脂肪率を20[％]とし、その時の撮影管電圧値をVb[kV]、撮影管電流値をIb[mA]とすると、同じ体厚で体脂肪率が30[％]と肥満型の被検者に対しては、前記Vb[kV]の管電圧、Ib[mA]の管電流でX線を照射するとX線透過量が多くなって画質が悪化するので、管電圧と管電流のいずれか一方又は双方を管電圧値(V1)、管電流値(I1)のように、前記基準撮影管電圧Vb「kV」と基準撮影管電流Ib「mA」のいずれか一方又は双方よりも低い値に補正する。
これに対して、同じ体厚で体脂肪率が10[％]と筋肉質のの被検者に対しては、前記Vb[kV]の管電圧、Ib[mA]の管電流でX線を照射するとX線透過量が少なくなって、やはり画質が悪化するので、管電圧と管電流のいずれか一方又は双方を管電圧値(V2)、管電流値(I2)のように、前記基準撮影管電圧Vb「kV」、基準撮影管電流Ib「mA」よりも高い値に補正する。
なお、体脂肪率の差によるX線量の補正は、管電圧、管電流を可変する例について説明したが、これに限定するものではなく、X線撮影条件の一つである撮影時間を可変して前記体脂肪率に対応してX線量を補正しても良い。
したがって、上記体脂肪率の差によるX線量の補正は、撮影管電圧、撮影管電流、撮影時間のうちのいずれか一つ、又は二つ、あるいは全部を可変して行っても良い。
なお、小児の場合も同様に、基準X線撮影条件を測定した体脂肪率で補正する。
【００３６】
次に、本発明を適用してX線撮影を行なう動作について、図5のフローチャートにより説明する。
【００３７】
(1)X線撮影装置の電源を入れて装置を起動し、被検者1を撮影台2に載せ、X線照射装置3、撮影台2、又は被検者1を移動調整して撮影部位、撮影方向にX線が照射される姿勢に整位する。
被検者の氏名16、年齢17、性別18、身長19、体重20及びその他の情報21の被検者情報をキーボード5aから入力して撮影制御装置8の入力部8cを介してデータベース8a1に記憶する。
また、体厚測定器13及び体脂肪率測定器15により測定された被検者1の体厚測定信号12と体脂肪率測定信号14が前記入力部8cに入力される。
制御操作卓7の表示部5bには、撮影部位、撮影方向を選択する画面が表示され、図示省略のマウスにより前記撮影部位、撮影方向を決定するソフトスイッチ部をクリックしてこれから撮影する部位、撮影方向を選択する。(ステップ101)
【００３８】
(2)前記データベース8a1に記憶してある年齢より成人か小児かを判断し、この結果と前記決定した撮影部位、撮影方向に対応した基準X線撮影条件を読み出し、これを体厚補正部8a2に入力する。(ステップ102)
(3)前記体厚補正部8a2で前記入力部8cからの実際に測定した体厚値で前記基準X線撮影条件を補正する。(ステップ103)
【００３９】
(4)前記体厚補正部8a2で補正されたX線撮影条件は、体脂肪率補正部8a3に入力され、前記入力部8cからの実際に測定した体脂肪率値で前記X線撮影条件を補正する。(ステップ104)
【００４０】
(5)前記データベース8a1から前記X線撮影条件以外の撮影制御に必要な撮影パラメータを読み出し、これを撮影制御パラメータ設定部8bに入力する。(ステップ105)
【００４１】
(6)前記体脂肪率補正部8a3で補正したX線撮影条件と前記撮影制御設定部8bに入力した撮影制御パラメータとを制御操作卓7の表示部5bに表示し(ステップ106)、オペレータは前記X線撮影条件及び撮影制御パラメータを確認する。
(ステップ107)
【００４２】
(8)前記補正したX線撮影条件及び前記設定した撮影制御パラメータを調整する必要がある場合は、前記撮影管電圧、撮影管電流、撮影時間等を前記キーボード5a又はマウス(図示省略)の入力手段を用いて前記制御操作卓7に設けられている調整手段(図示省略)により調整する。
この調整は微調整で済む。(ステップ108)
【００４３】
(9)調整する必要が無い場合は、最終的に決定したX線撮影条件をX線高電圧装置9に設定し(ステップ109)、撮影制御パラメータを撮影制御装置8に設定する。(ステップ110)
【００４４】
(10)以上で撮影準備は終了し(ステップ111)、X線撮影を開始する。(ステップ112)(11)X線高電圧装置9から出力された撮影管電圧、撮影管電流及び撮影時間に対応したX線をX線照射装置3のX線管(図示省略)から照射され、被検者1を透過したX線をX線検出器4で検出し、これを画像処理装置10に入力してX線画像データを生成する。(ステップ113)
【００４５】
(12)設定した撮影時間でX線撮影は終了し(ステップ114)、表示制御装置11で前記生成されたX線画像データをX線画像に表示制御し、この表示制御されて得られたX線画像を画像表示手段としての前記制御操作卓7に備えられたテレビモニタ6に表示する。(ステップ115)
【００４６】
このように、X線撮影装置に体厚測定器と体脂肪率測定器を備えて、予め用意されている基準X線撮影条件を撮影直前に測定された被検者の実際の体厚データと体脂肪率データとで補正するようにした。
これによって、被検者の体型、体質が異なっても、オペレータが撮影の度にX線撮影条件を手動で補正する必要がなく、さらに、体厚が同一でも見かけだけではわからない筋肉質の被検者と脂肪の多い被検者に対応してX線撮影条件を最適化できるので、オペレータの負担が軽減すると共に画質向上にも寄与し、さらにX線の照射量も最適化されるので被曝低減にも効果がある。
【００４７】
上記の実施形態では、基準X線撮影条件を成人と小児の二つを有する例について説明したが、年齢別、性別、身長と体重から決まる肥満度別等毎に複数の基準X線撮影条件を用意し、この中から対応するものを選択するようにしても良い。
このようにすることにより、よりきめの細かいX線撮影条件を設定することができ、さらに画質向上や被曝低減が望める。
【００４８】
本発明は、図1に示したX線撮影装置に限らず、立位撮影装置、透視機能を有するX線透視撮影装置など、どのような構成のX線撮影装置にも適用できる。
特に、多目的X線透視撮影システムや循環器X線検査システムに、実際に測定した体厚、体脂肪率で設定したX線撮影条件を適用してX線透視、撮影を行うことにより、前記システムの診断の多様化、高度化に対応できる要因の一つとなる。
【００４９】
以上の実施形態では、X線撮影装置に体厚測定器と体脂肪率測定器とを具備した例について説明したが、本発明はこれに限定するものではない。
前記体厚の測定は、被検者の撮影部位を物差しや巻尺で測定し、この体厚値を図1のキーボート5aから図2の入力部8cに入力する方法でも良い。
【００５０】
また、図示は省略するが、被検者の脂肪・筋肉・臓器等に関するX線の吸収率値をX線CT装置などで測定して事前に分かっていれば、この吸収率値を前記入力部に入力し、撮影部位のX線吸収値で前記基準X線撮影条件を補正して最適なX線撮影条件を設定しても良い。
【００５１】
さらに、前記補正した最適X線撮影条件を前記データベース8a1に記録し、例えば前記
基準X線撮影条件の更新や該基準X線撮影条件を体厚や体脂肪率に応じて複数用意し、これから選択するようにすることも可能になる。
【００５２】
さらにまた、図3及び図4の体厚、体脂肪率と管電圧、管電流の関係は同図に示す直線状のグラフに限定するものではなく、その傾きを変更したり、あるいは直線以外の関係でもX線撮影条件を最適に補正できるものであればどのような関係のグラフでも良い。
これは、図示は省略したが、X線撮影条件の一つである撮影時間についても上記と同様のことが言える。
【００５３】
さらにまた、X線撮影条件の設定を簡単にするために、オペレータが目視で体厚によるX線撮影条件を決め、体脂肪率のみで補正するようにしても良い。
【図面の簡単な説明】
【００５４】
【図１】本発明を適用したX線撮影装置の全体構成の一例を示す図。
【図２】本発明の要部である撮影制御装置の構成ブロック図。
【図３】本発明の体厚補正部に設けた被検者の体厚と撮影管電圧、撮影管電流との関係を示す図。
【図４】本発明の体脂肪率補正部に設けた被検者の体脂肪率と撮影管電圧、撮影管電流との関係を示す図。
【図５】本発明の動作を説明するフローチャート図。
【符号の説明】
【００５５】
1  被検者、2  撮影台、3  X線照射装置、4  X線検出器、5  操作部と表示部、7  制御操作卓、8  撮影制御装置、8a  X線撮影条件設定部、8a1  データベース部、8a2  体厚補正部、8a3  体脂肪率補正部、8b  撮影制御パラメータ設定部、8c  入力部、9  X線高電圧装置、13  体厚測定装置、15  体脂肪率測定装置
【図１】
2006218142.tif 000003
【図２】
2006218142.tif 000004
【図３】
2006218142.tif 000005
【図４】
2006218142.tif 000006
【図５】
2006218142.tif 000007